(57)【特許請求の範囲】
【請求項１】
供給口と排出口とを有するホッパーと、
このホッパーを横断するように設けられた回転軸と、
この回転軸の長手方向に直交するように設けられた支持部材と、
この支持部材に取り付けられた撹拌部材とを備え、
前記ホッパー内の供給物が前記排出口に向かうように、前記撹拌部材が前記支持部材
に取り付けられ、
前記撹拌部材の長手方向が、前記支持部材の長手方向に直交するように、前記撹拌部材が前記支持部材に取り付けられ、
前記撹拌部材の長手方向の先端は、第１の先端部と第２の先端部であり、前記第１の
先端部は前記第２の先端部より、前記回転軸の回転方向に対して前に位置するものであり、
前記第１の先端部が前記回転軸の回転方向に向かうように前記撹拌部材が屈曲又は湾曲している
ことを特徴とするホッパー装置。
【請求項２】
供給口と排出口とを有するホッパーと、
このホッパーを横断するように設けられた回転軸と、
この回転軸の長手方向に直交するように設けられた支持部材と、
この支持部材に取り付けられた撹拌部材とを備え、
前記ホッパー内の供給物が前記排出口に向かうように、前記撹拌部材が前記支持部材
に取り付けられ、
前記支持部材は、前記回転軸の長手方向に間隔を設けて複数設けられ、
複数の前記支持部材は、側面視、重ならないように、前記回転軸に取り付けられ、
複数の前記支持部材毎に、前記撹拌部材が取り付けられ、
前記撹拌部材の長手方向が、前記支持部材の長手方向に直交するように、前記撹拌部材が前記支持部材に取り付けられ、
前記撹拌部材の長手方向の先端は、第１の先端部と第２の先端部であり、前記第１の
先端部は前記第２の先端部より、回転軸の回転方向に対して前に位置するものであり、
前記第１の先端部が回転軸の回転方向に向かうように前記撹拌部材が屈曲又は湾曲し
ている
ことを特徴とするホッパー装置。
【請求項３】
支持部材に攪拌部材が複数取り付けられている
ことを特徴とする請求項１記載のホッパー装置。
【発明の詳細な説明】
【技術分野】
【０００１】
本発明は、ホッパー装置に係り、特に、ホッパー内の供給物によるブリッジの防止を図ると共に、ホッパー内の供給物をホッパーの排出口に迅速に導くことができるホッパー装置に関する。
【背景技術】
【０００２】
従来、供給物をホッパー内に供給し、供給物をホッパーを介して他の工程へ搬送する装置がある。
【発明の概要】
【発明が解決しようとする課題】
【０００３】
ところが、供給物をホッパー内に供給して稼働させると、供給物がホッパー内においてブリッジを形成して、供給物がホッパー内から排出しずらいという問題点が生じた。
【０００４】
本発明は、前記問題点を考慮したなされたホッパー装置を提供することを目的とする。
【課題を解決するための手段】
【０００５】
請求項１記載のホッパー装置は、供給口と排出口とを有するホッパーと、このホッパーを横断するように設けられた回転軸と、この回転軸の長手方向に直交するように設けられた支持部材と、この支持部材に取り付けられた撹拌部材とを備え、前記ホッパー内の供給物が前記排出口に向かうように、前記撹拌部材が前記支持部材に取り付けられ、前記撹拌部材の長手方向が、前記支持部材の長手方向に直交するように、前記撹拌部材が前記支持部材に取り付けられ、前記撹拌部材の長手方向の先端は、第１の先端部と第２の先端部であり、前記第１の先端部は前記第２の先端部より、前記回転軸の回転方向に対して前に位置するものであり、前記第１の先端部が前記回転軸の回転方向に向かうように前記撹拌部材が屈曲又は湾曲しているものである。
【０００６】
また、請求項２記載のホッパー装置は、供給口と排出口とを有するホッパーと、このホッパーを横断するように設けられた回転軸と、この回転軸の長手方向に直交するように設けられた支持部材と、この支持部材に取り付けられた撹拌部材とを備え、前記ホッパー内の供給物が前記排出口に向かうように、前記撹拌部材が前記支持部材に取り付けられ、前記支持部材は、前記回転軸の長手方向に間隔を設けて複数設けられ、複数の前記支持部材は、側面視、重ならないように、前記回転軸に取り付けられ、複数の前記支持部材毎に、前記撹拌部材が取り付けられ、前記撹拌部材の長手方向が、前記支持部材の長手方向に直交するように、前記撹拌部材が前記支持部材に取り付けられ、前記撹拌部材の長手方向の先端は、第１の先端部と第２の先端部であり、前記第１の先端部は前記第２の先端部より、前記回転軸の回転方向に対して前に位置するものであり、前記第１の先端部が前記回転軸の回転方向に向かうように前記撹拌部材が屈曲又は湾曲しているものである。
【０００８】
また、請求項３記載のホッパー装置は、請求項１記載のホッパー装置において、支持部材に攪拌部材が複数取り付けられているものである。
【発明の効果】
【００１０】
請求項１記載のホッパー装置によれば、ホッパー内の供給物がホッパーの排出口に向かうように、撹拌部材が支持部材に取り付けられているため、ホッパー内の供給物によるブリッジの防止を図ると共に、ホッパー内の供給物をホッパーの排出口に迅速に導くことができる。
【００１１】
また、請求項２記載のホッパー装置によれば、上述した請求項１記載の発明の効果に加え、支持部材は、回転軸の長手方向に間隔を設けて複数設けられ、複数の前記支持部材は、側面視、重ならないように、前記回転軸に取り付けられ、複数の前記支持部材毎に、撹拌部材に取り付けられているため、回転軸に係る負荷の分散を図ると共に、ホッパー内の供給物をむら無くホッパーの排出口に導くことができる。
【００１２】
また、請求項１又は２記載のホッパー装置によれば、撹拌部材の長手方向が、支持部材の長手方向に直交するように、前記撹拌部材が前記支持部材に取り付けられ、前記撹拌部材の長手方向の先端は、第１の先端部と第２の先端部であり、前記第１の先端部は前記第２の先端部より、回転軸の回転方向に対して前に位置するものであり、前記第１の先端部が回転軸の回転方向に向かうように前記撹拌部材が屈曲又は湾曲しているため、ホッパー内の供給物をホッパーの排出口に導くことができ、しかも、撹拌部材が屈曲又は湾曲している分、撹拌部材の強度アップをも図ることができる。
【００１３】
また、請求項３記載のホッパー装置によれば、上述した請求項１記載の発明の効果に加え、支持部材に攪拌部材が複数取り付けられているため、攪拌効果及びホッパーへの排出効果をより発揮させることができる。 
【図面の簡単な説明】
【００１５】
【図１】図１は、本発明の一実施例のホッパー装置の一使用形態を示す概略的図である。
【図２】図２は、図１の概略的右側面図である。
【図３】図３は、図１の回転軸の概略的斜視図である。
【発明を実施するための形態】
【００１６】
本発明の一実施例のホッパー装置を図面（図１乃至図３）を参照して説明する。
【００１７】
図１に示すＨはホッパー装置で、ホッパー装置Ｈは、供給口１１と排出口１２とを有するホッパー１と、このホッパー１を横断するように設けられた回転軸２と、この回転軸２の長手方向に直交するように設けられた支持部材３と、この支持部材３に取り付けられた撹拌部材４とを備え、ホッパー１内の供給物（例えば、カット野菜）が排出口１２に向かうように、撹拌部材４が支持部材３に取り付けられている
【００１８】
そのため、ホッパー１内の供給物によるブリッジの防止を図ると共に、ホッパー１内の供給物をホッパー１の排出口１２に迅速に導くことができる。
なお、ホッパー１内の供給物は、排出口１２から搬送手段６（例えば、スクリューコンベヤ）を介して、他の工程へと導かれるようになっている。
また、供給物がカット野菜の場合、搬送手段６により、水を切りながら搬送される。
また、図１に示す１００は、ホッパー１、搬送手段６を支持する基台である。
【００１９】
支持部材３は、回転軸２の長手方向に間隔を設けて複数設けられ、複数の支持部材３は、側面視、重ならないように、回転軸２に取り付けられ、また、複数の支持部材３毎に、撹拌部材４が取り付けられている。
そのため、回転軸２に係る負荷の分散を図ると共に、ホッパー１内の供給物をむら無くホッパー１の排出口１２に導くことができる。
また、支持部材３に攪拌部材４が複数取り付けられ、攪拌効果及びホッパー１への排出効果をより発揮させるようにしている。
なお、５はモーターで、５１はモーター５の回転軸に取り付けられた第１の鎖車、２１は回転軸２に取り付けられた第２の鎖車、６は第１の鎖車５１と第２の鎖車２１とに係合するチェーンである。
【００２０】
そして、図３に示すように、撹拌部材４の長手方向が、支持部材３の長手方向に直交するように、撹拌部材４が支持部材３に取り付けられ、撹拌部材４の長手方向の先端は、第１の先端部４１と第２の先端部４２であり、第１の先端部４１は第２の先端部４２より、回転軸２の回転方向Ｘに対して前に位置するものであり、第１の先端４１が回転軸２の回転方向に向かうように撹拌部材４が屈曲、例えば、９０°屈曲し、具体的には、撹拌部材４は、Ｌ字状部材で形成されている。
なお、撹拌部材４の屈曲角度は、９０°に限らないと共に、屈曲でなく、湾曲していても良い。
そのため、ホッパー１内の供給物をホッパー１の排出口１２に導くことができ、しかも、撹拌部材４が屈曲又は湾曲している分、撹拌部材４の強度アップをも図ることができる。
【００２１】
従って、上述したホッパー装置（ホッパー内の供給物の排出方法）Ｎによれば、撹拌部材４がホッパー１に設けられているため、ホッパー１内の供給物のブリッジを防ぐのみならず、ホッパー１内の供給物が排出口１２に向かうように、撹拌部材４が支持部材３に取り付けられているため、ホッパー１内の供給物を排出口１２を介して迅速に他の工程へと導くことができる。
【符号の説明】
【００２２】
Ｈ      ホッパー装置
１      ホッパー
２      回転軸
３      支持部材
４      撹拌部材
１１    供給口
１２    排出口
【図１】
0006978791.tif 000002
【図２】
0006978791.tif 000003
【図３】
0006978791.tif 000004